(57)【要約】【課題】電池収納容器を備えた電子機器の小型化および電池の長時間使用を可能にすること。【解決手段】本発明は、電池を出し入れする開口部を有するバッテリーケース２と、記録媒体を着脱可能に収納する記録メディアコネクター３と、所定の回路が構成される複数の回路基板（例えば、メイン基板４、５）とを備える電子機器において、バッテリーケース２の外側で開口部２１を除く部分に記録メディアコネクター３と複数の回路基板とがバッテリーケース２を取り囲むよう配置されているものである。【選択図】　　　　図１
2004039845.tif 000002
【特許請求の範囲】
【請求項１】
電池を出し入れする開口部を有する電池収納容器と、記録媒体を着脱可能に収納する記録媒体収納部と、所定の回路が構成される複数の回路基板とを備える電子機器において、
前記電池収納容器の外側で開口部を除く部分に前記記録媒体収納部と前記複数の回路基板とが前記電池収納容器を取り囲むよう配置されている
ことを特徴とする電子機器。
【請求項２】
前記回路基板のうち一つは画像表示装置である
ことを特徴とする請求項１記載の電子機器。
【請求項３】
前記電池収納容器の外側を構成する６つの外接面のうち、第１の外接面側に前記開口部が配置され、前記第１の外接面に垂直な第２の外接面側に前記記録媒体収納部が配置され、前記第２の外接面と平行な第３の外接面側に画像表示装置から成る前記回路基板が配置され、前記第１から第３の外接面以外の３つの外接面側に前記画像表示装置以外の回路基板が配置されている
ことを特徴とする請求項１記載の電子機器。
【発明の詳細な説明】
【０００１】
【発明の属する技術分野】
本発明は、電池を出し入れできる開口部を有する電池収納容器と、記録媒体を着脱可能に収納する記録媒体収納部と、所定の回路が構成される複数の回路基板とを備える電子機器に関する。
【０００２】
【従来の技術】
図４は、従来の電子機器を説明する図で、（ａ）は分解斜視図、（ｂ）は上から見た平面模式図ある。この電子機器１’は、例えばデジタルスチルカメラのような小型携帯用Ａ−Ｖ機器であり、バッテリーケース２を中心として記録メディアコネクター３や画像表示装置６、メイン基板４を配置したものである。
【０００３】
この例では、バッテリーケース２の開口部２１と略垂直な面に記録メディアコネクター３とメイン基板４とを重ねて配置し、その反対面に画像表示装置６および他の回路基板７を並べて配置している。
【０００４】
したがって、この電子機器１’の厚さＡは、バッテリーケース２、記録メディアコネクター３、メイン基板４、画像表示装置６の各厚さを合計したものとなる。
【０００５】
また、電子機器の基板の配置構成として、以下のような技術が開示されている。
【０００６】
＜特開平８−３７３８７号公報＞
この公報では、放熱板の上下にプリント基板を配置することで、機器の小型化と放熱効果の向上とを図るようにしている。
【０００７】
＜特開平１０−２２９２８８号公報＞
この公報では、トランジスタ等の発熱部品の上下にプリント基板を配置して通風孔を設け、放熱効果の向上を図るようにしている。
【０００８】
＜特開２００２−８６０４号公報＞
この公報では、熱伝導部材を介して発熱部品と電池とを接触させることで、電池の使用時間を長くできるようにしている。
【０００９】
＜特開平１０−１４４０６７号公報＞
この公報では、アンプ用のサブのプリント基板をメインのプリント基板とは別に設け、そのサブのプリント基板にパワーＩＣを取り付けることで、メインのプリント基板の実装密度を低下させることなく放熱効果を向上できるようにしている。
【００１０】
＜特開平７−２６４４５０号公報＞
この公報では、カメラ筐体の周辺に熱伝導性ゴムを介してプリント基板を配置することで放熱構造を構成している。
【００１１】
＜特開２００１−６０７８３号公報＞
この公報では、陰極線管の偏向コイルの下端より下方にプリント基板を配置することでプリント基板を熱から保護するようにしている。
【００１２】
【発明が解決しようとする課題】
しかしながら、図４に示す従来の電子機器では、回路基板がバッテリーケース、記録メディアコネクターと重なって配置されるため、電子機器の厚みとしてバッテリーケース＋記録メディアコネクター＋回路基板の厚さになってしまい、機器の薄型化の妨げとなっている。
【００１３】
また、回路基板や液晶表示装置等の熱源が重なって配置されているので、機器内部の熱が分散されずに機器内部にこもりやすい欠点があり、さらにはバッテリーケースの上下が空いているので、バッテリーをまんべんなく暖めることができないという問題がある。
【００１４】
また、特開平８−３７３８７号公報、特開平１０−２２９２８８号公報、特開２００２−８６０４号公報、特開平１０−１４４０６７号公報、特開２００１−６０７８３号公報に開示される技術では、いずれも放熱効果を向上させる目的であり、電池の使用時間について考慮されているものではない。ここで、特開平７−２６４４５０号公報に開示される技術は、バッテリーの使用時間を長くするための構成であるが、バッテリーをまんべんなく暖めることはできない。
【００１５】
【課題を解決するための手段】
本発明は、このような課題を解決するために成されたものである。すなわち、本発明は、電池を出し入れする開口部を有する電池収納容器と、記録媒体を着脱可能に収納する記録媒体収納部と、所定の回路が構成される複数の回路基板とを備える電子機器において、電池収納容器の外側で開口部を除く部分に記録媒体収納部と複数の回路基板とが電池収納容器を取り囲むよう配置されているものである。
【００１６】
このような本発明では、電池収納容器の外側で開口部を除く部分に記録媒体収納部と複数の回路基板とが電池収納容器を取り囲むよう配置されているので、電池収納容器の周囲を熱源で囲むことができ、電池を効率良く暖めることができるようになる。しかも、記録媒体収納部と回路基板とが重ならないため電子機器の薄型化を図ることができるようになる。
【００１７】
【発明の実施の形態】
以下、本発明の実施の形態を図に基づき説明する。図１は、本実施形態に係る電子機器の主要部を説明する分解斜視図である。すなわち、この電子機器１は、例えばデジタルスチルカメラから成るもので、所定サイズの電池を収納するバッテリーケース（電池収納器）２と、メモリースティック（登録商標）等の記録媒体を収納する記録メディアコネクター（記録媒体収納部）３と、所定の回路が構成される複数の回路基板（メイン基板４、５、画像表示装置６）とを備えている。
【００１８】
バッテリーケース２には電池を出し入れする開口部２１が設けられており、図示しない蓋も設けられている。本実施形態では、このバッテリーケース２の外側で開口部２１を除く部分に、記録メディアコネクター３や回路基板がバッテリーケース２を取り囲むように配置されている点に特徴がある。
【００１９】
図１に示す例では、バッテリーケース２の外側を構成する６つの外接面のうち、第１の外接面側に開口部２１が配置され、第１の外接面に垂直な第２の外接面側に記録メディアコネクター３が配置され、第２の外接面と平行な第３の外接面側に画像表示装置６が配置され、第１から第３の外接面以外の３つの外接面側にメイン基板４、５が配置されている。
【００２０】
このような配置では、バッテリーケース２の周囲を記録メディアコネクター３や回路基板で取り囲む構成となるため、バッテリーケース２内に収納する電池をまんべんなく暖めることができるようになる。したがって、電池の使用時間を長くすることが可能となる。また、熱源となるメイン基板４、５を分散させることで機内の温度上昇を抑制することも可能となる。
【００２１】
図２は、本実施形態の電子機器の大きさを説明する模式図で、（ａ）は開口部側から見た平面図、（ｂ）は上から見た平面図である。電子機器の幅Ｂは、バッテリーケース２を挟むように記録メディアコネクター３と画像表示装置６とを取り付けた状態で、これらの厚さを合計したものとなり、また、電子機器の高さＣは記録メディアコネクター３の高さとメイン基板４、５の厚さとを合計したものとなる。
【００２２】
したがって、バッテリーケース２を備える機器の厚さを抑制でき、またメイン基板４、５の分散配置によってデッドスペースを有効に利用でき、電子機器１の小型化を図ることが可能となる。
【００２３】
図３は、デジタルスチルカメラから成る電子機器の分解斜視図である。図３のうち、図中二点鎖線で囲む部分が図１で示した主要部である。このデジタルスチルカメラでは、バッテリーケース２の長手方向に隣接してレンズユニットＬが配置されており、先に説明した主要部とともにキャビネット前１１、キャビネット後１２、キャビネット底１３、キャビネット上１４で囲まれて外観を構成している。また、バッテリーケース２の開口部側には蓋２２が取り付けられる。
【００２４】
このキャビネット前１１にはレンズカバー１１ａやスライドカバー１１ｂが設けられており、スライドカバー１１ｂを平行移動させることでレンズカバー１１ａを露出させることができる。画像取り込みの際にはスライドカバー１１ｂを開くことでスイッチが入力される。
【００２５】
キャビネット上１４とメイン基板４との間にはスイッチ基板４１が設けられている。スイッチ基板４１には各種のスイッチが実装されており、キャビネット上１４に設けられたボタンやダイヤルの操作でスイッチが連動して各種設定や画像取り込み（シャッター動作）を行うことができる。
【００２６】
キャビネット後１２には画像表示装置６に対応した開口が設けられている。この開口を介して画像表示装置６の表示を参照できるようになる。また、各種ボタンも設けられており、画像表示装置６の基板に設けられたスイッチを作動させて表示設定を行うことができる。
【００２７】
このような構成から成る電子機器１では、筐体の面積が一番広くなる部分に記録メディアコネクター３が配置され、メイン基板４、５等のプリント基板が配置されないことから電子機器１の厚さを最小限に抑えることができるとともに、電子機器１の折れ曲がりに対して最も応力の加わる部分（面積の一番広い部分）にプリント基板が配置されないため、プリント基板の破損を防止できるようになる。
【００２８】
また、デジタルスチルカメラの場合、画像表示装置６をキャビネット後１２側に配置することになるが、こちら側にはメイン基板４、５を配置しないことから画像表示装置６のレイアウト自由度を高めることもできる。
【００２９】
なお、上記実施形態ではデジタルスチルカメラから成る電子機器１を例として説明したが、バッテリーケース２および複数の回路基板を備える他の電子機器であっても同様である。
【００３０】
【発明の効果】
以上説明したように、本発明の電子機器においては、電池収納容器、記録媒体収納部、画像表示装置の厚みで構成できるので、機器の薄型化を図ることが可能となる。また、電子機器内部の熱分散を効率よくし、機器内部の温度上昇を抑えることが可能となる。しかも電池を効率よく暖めることができ、電池の持続時間を長くすることが可能となる。
【図面の簡単な説明】
【図１】本実施形態を説明する分解斜視図である。
【図２】電子機器の大きさを説明する模式図である。
【図３】デジタルスチルカメラから成る電子機器の分解斜視図である。
【図４】従来例を説明する図である。
【符号の説明】
１…電子機器、２…バッテリーケース、３…記録メディアコネクター、４…メイン基板、５…メイン基板、６…画像表示装置、１１…キャビネット前、１２…キャビネット後、１３…キャビネット底、１４…キャビネット上、２１…開口部
【図１】
2004039845.tif 000003
【図２】
2004039845.tif 000004
【図３】
2004039845.tif 000005
【図４】
2004039845.tif 000006